(57)【特許請求の範囲】
【請求項１】
羽根車を内包する角形の取付角枠の片面側に、同羽根車を回転させるモーターを支持する数本の取付脚が固定され、その取付角枠の取付フランジが段付きの絞り構造となっている質量の大きな換気扇に対する換気扇包装装置であって、前記モーター側を被冠する底の無い上側段ボール箱と、前記取付角枠側を敷き包む蓋の無い下側段ボール箱と、これら上側段ボール箱と下側段ボール箱との間に対向状に介在させるコ状の側部ホルダと、前記上側段ボール箱と下側段ボール箱とに掛けまわす結束バンドとを備え、前記下側段ボール箱の底面には、前記取付角枠の段付きの絞り構造の内側に嵌まり同取付角枠を保持する段ボール材よりなる緩衝材を設け、包装時にコンベア等により前記下側段ボール箱の上方から横方向に搬送されてくる前記換気扇の前記取付角枠に当接し、同取付角枠を保持する前記緩衝材に嵌まるように滑らせて、同換気扇の落下をガイドする紙製の案内板を設けた換気扇包装装置。
【請求項２】
請求項１に記載の換気扇包装装置であって、案内板を、対向する二面に構成した換気扇包装装置。
【請求項３】
請求項１又は請求項２のいずれかに記載の換気扇包装装置であって、案内板を緩衝材の一部に一体に設けた換気扇包装装置。
【請求項４】
請求項１又は請求項２のいずれかに記載の換気扇包装装置であって、案内板を下側段ボール箱の側壁に設けた換気扇包装装置。
【請求項５】
請求項３又は請求項４のいずれかに記載の換気扇包装装置であって、案内板の立寸法を側部ホルダと略等しく構成した換気扇包装装置。
【請求項６】
請求項１〜請求項５までのいずれかに記載の換気扇包装装置であって、緩衝材を、取付角枠を下側段ボール箱の底面から離反させて保持する構成とした換気扇包装装置。
【発明の詳細な説明】
【０００１】
【発明の属する技術分野】
本発明は、羽根車を内包する角形の取付角枠の片面側に、羽根車を回転させるモーターを支持する数本の取付脚が固定され、取付角枠の取付フランジが段付きの絞り構造となっている比較的質量の大きな換気扇を包装する換気扇包装装置に関するものである。
【０００２】
【従来の技術】
大型の換気扇の多くは、モーターの外殻に数本のアーチ状の取付脚が角状に突き出し、取付脚に固定された取付角枠でモーターの回転軸に装着された羽根車を内包した構成が採られている。その中には取付角枠の取付フランジが剛性を高めるために段付きの絞り構造となっているものがある。この種の換気扇は、凹凸が多く形状も複雑であり質量も大きいためその包装には工夫が必要である。例えば、特願平７―８３１７号には上面の開放した段ボール紙製の底Ｃ式箱と下面の開放した段ボール紙製の上Ｃ式箱を使った包装装置が示されている。この包装装置では、底Ｃ式箱の下面に段ボール紙を積層して構成された数本の桁が固着され、質量のかかる底Ｃ式箱の底部が補強されている。
【０００３】
底Ｃ式箱内には、羽根車側を下にしてモーターから突き出している四本の取付脚が底Ｃ式箱の対角線方向になるように換気扇が収められている。底Ｃ式箱上の換気扇の外周りは底Ｃ式箱の内壁面に沿って挿入され、全体として角筒形に組立てられた段ボール紙製の緩衝部材により隙間をもって取り囲まれている。換気扇の各取付脚の自由端側は緩衝部材の四箇所の入隅部に嵌まり込み、これにより換気扇の動きが規制されている。緩衝部材の上端には上Ｃ式箱がモーターに対して隙間をもって蓋状に被冠され、全体が樹脂バンドで結束されている。この包装装置では緩衝部材の入隅部が二重構造になっていて、包装装置の四箇所の稜角部が補強されており、また、換気扇の質量を受ける底Ｃ式箱が桁により補強されているため、比較的質量のある換気扇でも安定状態に包装することができる。
【０００４】
【発明が解決しようとする課題】
上記のような従来の換気扇包装装置では、緩衝部材の入隅に各取付脚が嵌まり合っているため、包装状態の換気扇が回転することも水平方向へ動くこともないものの、包装に当っては、質量の大きな換気扇を底Ｃ式箱に対角線方向になるように入れる作業がし辛く、２０ｋｇ程もあるものでは、一人では行うことができなかった。また、底Ｃ式箱に入れても、換気扇の位置調整が難しく、包装作業の能率は低いものであった。
【０００５】
本発明は上記した従来の問題点を解消するためになされたもので、その課題とするところは、包装作業が容易で、一人でも包装することができる作業能率の良い換気扇包装装置を得ることである。
【０００６】
【課題を解決するための手段】
前記課題を達成するために請求項１の発明は、羽根車を内包する角形の取付角枠の片面側に、羽根車を回転させるモーターを支持する数本の取付脚が固定され、取付角枠の取付フランジが段付きの絞り構造となっている質量の大きな換気扇に対する換気扇包装装置について、モーター側を被冠する底の無い上側段ボール箱と、取付角枠側を敷き包む蓋の無い下側段ボール箱と、これら上側段ボール箱と下側段ボール箱との間に対向状に介在させるコ状の側部ホルダと、上側段ボール箱と下側段ボール箱とに掛けまわす結束バンドとを備え、下側段ボール箱の底面には、取付角枠の段付きの絞り構造の内側に嵌まり取付角枠を保持する段ボール材よりなる緩衝材を設け、包装時にコンベア等により下側段ボール箱の上方から横方向に搬送されてくる換気扇の取付角枠に当接し、取付角枠を保持する緩衝材に嵌まるように滑らせて、換気扇の落下をガイドする紙製の案内板を設ける手段を採用する。
【０００７】
前記課題を達成するために請求項２の発明は、請求項１に係る前記手段における案内板を、対向する二面に構成する手段を採用する。
【０００８】
前記課題を達成するために請求項３の発明は、請求項１又は請求項２のいずれかに係る前記手段における案内板を、緩衝材の一部に一体に設ける手段を採用する。
【０００９】
前記課題を達成するために請求項４の発明は、請求項１又は請求項２のいずれかに係る前記手段における案内板を、下側段ボール箱の側壁に設ける手段を採用する。
【００１０】
前記課題を達成するために請求項５の発明は、請求項３又は請求項４のいずれかに係る前記手段における案内板の立寸法を側部ホルダと略等しく構成する手段を採用する。
【００１１】
前記課題を達成するために請求項６の発明は、請求項１〜請求項５までのいずれかに係る前記手段における緩衝材を、取付角枠を下側段ボール箱の底面から離反させて保持する構成とする手段を採用する。
【００１２】
【発明の実施の形態】
実施の形態１．
図１は本実施の形態の換気扇包装装置を、包装完成形態で上部構造を除いて示した平面構成図である。この図１に示すように本換気扇包装装置を適用する換気扇は、羽根車１を内包する角形の取付角枠２の片側に、羽根車１を回転させるモーター３を支持する四本の取付脚４が固定されている。取付角枠２は、中央に羽根車１を内包する円筒形のベルマウスを有し、このベルマウスに続く四角形の取付フランジを持ち、他の構成部品は全てこの取付角枠２の投影平面積内に収まっている。取付フランジは、剛性を高めるために二段の段付きの絞り構造５が採られ、端縁には外向きのカーリング加工が施されている。
【００１３】
取付フランジの二段目の絞り構造５は、その四隅部が内向きのＲ状の平面部６として構成され、その四隅部に換気扇を壁面等にボルト・ナット等によって取付けるための取付孔７が開けられている。四本の取付脚４はアーチ状をなし、それぞれ取付角枠２の四隅部における一段目の絞り構造５の平面部６に一端側が固定され、他端がベルマウスの開口端に向合う取付板８に固着されている。モーター３は、この取付板８にその回転軸がベルマウスの中心を貫く状態に組付けられ、回転軸端に羽根車１がベルマウス内で回転するように装着されている。
【００１４】
モーター３の質量の大きい２０ｋｇ前後の大型のものでは、取付脚４の取付角枠２との取付部分に図５に断面図で示し、図６で単独の斜視図で示すような段付きの補強部材９が取付角枠２の内側にネジ１０によって装着されている。
【００１５】
この換気扇包装装置は、上述のような構成の質量の大きな換気扇を包装するものであり、図１及び断面して示す図２のように、モーター３側を被冠する底の無いＪＩＳ規格Ｃ式箱の上側段ボール箱１１と、取付角枠２側を敷き包む蓋の無いＪＩＳ規格Ｃ式箱の下側段ボール箱１２とを使って換気扇を包装するものである。上側段ボール箱１１も下側段ボール箱１２も同形同大であり、下側段ボール箱１２の内底面は取付角枠２の投影平面積より若干広い四角形となっている。下側段ボール箱１２の内底面には取付角枠２の二段目の絞り構造５に嵌まる段ボール材による四角形の緩衝材１３が図３及び図４に示すように中央に接着されている。
【００１６】
緩衝材１３は、段ボールシートを二枚以上重ね、取付角枠２のカーリング加工部分を下側段ボール箱１２の内底面から離反させて保持するに足る厚みを持つ重畳構造が採られ、その輪郭は取付角枠２の二段目の絞り構造５の内面形状に略一致している。即ち、取付角枠２の四隅に補強部材９を設けた換気扇については、図１〜図４に示すように、取付角枠２の四隅部に設けられた補強部材９の取付孔部１４を逃げるために対向する二辺が、取付角枠２の二段目の絞り構造５の内面より若干後退し、他の二辺が取付角枠２の二段目の絞り構造５の内面に当接する四角形に構成されている。補強部材９を設けない換気扇に対するものでは、図７と図８に示すように、緩衝材１３の輪郭は、取付角枠２の内側の内面形状に合わせられている。つまり、取付角枠２の四隅部の内向きのＲ状の平面部６を逃がす切欠き１５を四隅部に形成した四角形に構成され、取付角枠２の二段目の絞り構造５に整合して嵌まる輪郭とされる。
【００１７】
緩衝材１３の最下段の下には、図９に示すように包装時にコンベア２０等により下側段ボール箱１２の上方から横方向に搬送されてくる換気扇の取付角枠２に当接させ、取付角枠２を緩衝材１３に嵌まるように滑らせて、換気扇の落下をガイドする紙製の案内板２１が、一辺側又は対向する二辺側に立上げられている。この案内板２１を斜めに保持して換気扇の取付角枠２の一辺を当て滑らせて落下案内させることによって、質量の大きな換気扇でも、図１０に示すように緩衝材１３に位置決めする状態で嵌め合わせることができ、一人でも包装作業を能率良く行うことができる。対向する二面に案内板２１を設ければ、多少換気扇の位置がずれても案内板２１の操作で寄せて調整することができる。そして、取付角枠２と下側段ボール箱１２の底面との間には隙間があるため、落下衝撃等に対しても緩衝保護機能を果たす。
【００１８】
上側段ボール箱１１と下側段ボール箱１２との間には対向状に段ボール材で構成されたコ状の側部ホルダ１６が、換気扇の取付角枠２のカーリング加工部分から離れた位置に衝立状に介在され、上側段ボール箱１１と下側段ボール箱１２との外側に結束バンド１７が掛け回されて完成した包装形態になっている（図１及び図２参照）。コ状の側部ホルダ１６の対向する二つのフラップ１８は、その幅寸法が上側段ボール箱１１及び下側段ボール箱１２の一辺の長さの１／２未満とされ、換気扇の側部の一部が包装形態でも外から視認できる。案内板２１は、包装形態完成状態では、側部ホルダーの内側に並立して立てられ、その立ち寸法も側部ホルダ１６と略等しくなっていて、側部ホルダ１６の強度を補完している。
【００１９】
この換気扇包装装置では換気扇を、その水平方向への移動を緩衝材１３の取付角枠２への嵌合いにより拘束でき、落下衝撃についても緩衝材１３の厚みで緩衝することができる。取付角枠２の内側に緩衝材１３が嵌まり、換気扇の外側は緩衝空間が形成され、包装材とは非接触の状態におかれるため、包装材との擦れ合いは外観性の損なうことの少ない取付角枠２の内側に限られ、換気扇の外観性が損なわれることは少ない。コ状の側部ホルダ１６は、周側を密閉しない構成であり、換気扇の一部が視認できるため、荷扱いがかえって慎重になる効果も得られるうえ、包装材料の軽減も達成できる。解梱に関しては、結束バンド１７による結束を解除するだけの操作で完了し、分別を要さず各構成部材をリサイクル資源として処理することができる。案内板２１については最下段の緩衝材１３に一体に形成することもでき、この構成を採用することにより案内板２１により耐圧縮荷重を向上させることができる。
【００２０】
補強部材９のある換気扇では、緩衝材１３は横一方向についての拘束を行うが、実際には緩衝材１３に補強部材９のネジ１０の内側への突出部１９が図５に示すように食込むため、横二方向の拘束を行うことができる。補強部材９の無い換気扇では、緩衝材１３の取付角枠２の絞り構造５への嵌め込みにより横二方向の拘束を行うことができる。なお、図中の矢印は段ボール材のコルゲート構造の波目方向を示している。
【００２１】
実施の形態２．
図１１と図１２によって示す本実施の形態は、実施の形態１で示した換気扇包装装置の下側段ボール箱の側壁に案内板を設けたものであり、これ以外の構成は、実施の形態１のものと変わらない。従って、実施の形態１と同じ部分については、実施の形態１のものと同じ符号を用い、それらについての説明は省略する。
【００２２】
本実施の形態の換気扇包装装置は、図１１と図１２に示すように下側段ボール箱１２の内側壁中央に案内板２１立てられている。案内板２１の内面と緩衝材１３の端面との隙間は、取付角枠２が緩衝材１３に嵌まり込みうる寸法に設定されている。この換気扇包装装置によっても、実施の形態１で示したものと同様に、案内板２１を使って換気扇を位置決めしつつ所定の位置に案内して落下させることができ、実施の形態１のものと同様の機能を果たさせることができる。
【００２３】
【発明の効果】
請求項１の発明によれば、包装作業が容易で、換気扇の質量が大きくても一人でも包装することができる作業能率の良い換気扇包装装置が得られる。
【００２４】
請求項２の発明によれば、請求項１に係る前記効果とともに包装に当り、換気扇の微妙な位置調整がし易くなる。
【００２５】
請求項３の発明によれば、包装作業が容易で、換気扇の質量が大きくても一人でも包装することができる作業能率の良い換気扇包装装置が得られる。
【００２６】
請求項４の発明によれば、包装作業が容易で、換気扇の質量が大きくても一人でも包装することができる作業能率の良い換気扇包装装置が得られる。
【００２７】
請求項５の発明によれば、請求項３又は請求項４のいずれかに係る前記効果とともに側部ホルダの強度を案内板により補完することができる。
【００２８】
請求項６の発明によれば、請求項１〜請求項５までのいずれかに係る前記効果とともに落下衝撃に対する緩衝保護機能を向上させることができる。
【図面の簡単な説明】
【図１】  実施の形態１の換気扇包装装置を上部構造を除いて示す平面図である。
【図２】  実施の形態１の換気扇包装装置の側断面図である。
【図３】  実施の形態１の換気扇包装装置における下側段ボール箱を示す平面図である。
【図４】  実施の形態１の換気扇包装装置における下側段ボール箱を示す側断面図である。
【図５】  実施の形態１で適用する換気扇の要部の構成を示す部分断面図である。
【図６】  実施の形態１で適用する換気扇の補強部材を示す斜視図である。
【図７】  実施の形態１の換気扇包装装置における別形態の下側段ボール箱を示す平面図である。
【図８】  実施の形態１の換気扇包装装置における別形態の下側段ボール箱を示す側断面図である。
【図９】  実施の形態１の換気扇包装装置の包装途中の形態を示す側断面図である。
【図１０】  実施の形態１の換気扇包装装置の包装途中の形態を示す側断面図である。
【図１１】  実施の形態２の換気扇包装装置における下側段ボール箱を示す斜視図である。
【図１２】  実施の形態２の換気扇包装装置を示す側断面図である。
【符号の説明】
１  羽根車、  ２  取付角枠、  ３  モーター、  ４  取付脚、  ５  絞り構造、  １１  上側段ボール箱、  １２  下側段ボール箱、  １３  緩衝材、  １５  切欠き、  １６  側部ホルダ、  １７  結束バンド、  ２１  案内板。
【図１】
0003690371.tif 000002
【図２】
0003690371.tif 000003
【図３】
0003690371.tif 000004
【図４】
0003690371.tif 000005
【図５】
0003690371.tif 000006
【図６】
0003690371.tif 000007
【図７】
0003690371.tif 000008
【図８】
0003690371.tif 000009
【図９】
0003690371.tif 000010
【図１０】
0003690371.tif 000011
【図１１】
0003690371.tif 000012
【図１２】
0003690371.tif 000013